(57)【要約】【課題】簡易な構成により、出品者と参加者とが操作する端末を共通することができるオークションシステムを得る。【解決手段】オークションの出品物を特定する出品物ＩＤを記憶している出品情報データベースと、オークション会場内に存在する端末が操作されたときに、端末が操作されたことを示す信号を受信した受信機から受信機ＩＤと端末ＩＤとを含む操作情報を受信する受信部と、操作情報を記憶する操作情報データベースと、受信機から受信した操作情報に含まれる受信機ＩＤに基づいて、受信機から受信した端末ＩＤで特定される端末が参加者端末と出品者端末のいずれであるかを判定する判定部と、参加者端末と判定したとき、参加者端末の操作者による応札額を算出する応札額算出部と、算出した応札額と、受信した操作情報に含まれる端末ＩＤと、出品情報データベースに記憶されている出品物ＩＤと、を関連付けて記憶する応札情報データベースとを有してなる。【選択図】図２
2009122958.tif 000002
【特許請求の範囲】
【請求項１】
オークション会場に設置されている複数の受信機と通信ネットワークを介して接続したシステムであって、
オークションの出品物を特定する出品物ＩＤを記憶している出品情報データベースと、
オークション会場内に存在する端末が操作されたときに、端末が操作されたことを示す信号を受信した上記受信機から、この受信機を特定する受信機ＩＤと上記操作された端末を特定する端末ＩＤとを含む操作情報を受信する受信部と、
上記操作情報を記憶する操作情報データベースと、
上記受信機から受信した操作情報に含まれる受信機ＩＤに基づいて、この受信機ＩＤと共に上記受信機から受信した端末ＩＤで特定される端末が参加者端末と出品者端末のいずれであるかを判定する判定部と、
上記判定部による判定の結果、参加者端末と判定したとき、この参加者端末の操作者による応札額を算出する応札額算出部と、
上記算出した応札額と、上記受信した操作情報に含まれる端末ＩＤと、上記出品情報データベースに記憶されている出品物ＩＤと、を関連付けて記憶する応札情報データベースと、
を有してなることを特徴とするオークションシステム。
【請求項２】
判定部による判定の結果、出品者端末と判定したとき、応札情報データベースに記憶されている応札額の最高額を特定する手段と、
上記特定された「最高額」と、この最高額と関連付けて上記応札情報データベースに記憶されている「端末ＩＤ」と「出品物ＩＤ」とを、「落札額」と「落札者の端末を特定する情報」と「落札物を特定する情報」として関連付けて記憶する落札情報データベースを備えた請求項１記載のオークションシステム。
【請求項３】
判定部による判定の結果、出品者端末と判定したとき、応札を締め切る旨を参加者に通知する手段をさらに備え、
上記通知から一定時間内に操作情報を受信しないときに、「最高額」と「端末ＩＤ」と「出品物ＩＤ」とを落札情報データベースに記憶する請求項２記載のオークションシステム。
【請求項４】
応札を締め切る旨を参加者に通知してから一定時間が経過した後であって、かつ、特定された「最高額」と関連付けて応札情報データベースに記憶されている「端末ＩＤ」を含む操作情報を受信したときに、「最高額」と「端末ＩＤ」と「出品物ＩＤ」とを落札情報データベースに記憶する請求項３記載のオークションシステム。
【発明の詳細な説明】
【技術分野】
【０００１】
本発明は、オークションシステムに関するものであって、オークション会場内に存在する端末からの信号を受信して、この端末が出品者端末であるか参加者端末であるかを判定し、その判定結果に応じたオークション処理を行うものである。
【背景技術】
【０００２】
従来より、オークション会場に設置された端末を出品者や参加者に操作させてオークションを実現するオークションシステムが実現されている。
参加者は、オークション会場内のディスプレイなどに表示されている出品情報を参照しながら、参加者端末を操作して応札をする。参加者端末が操作されたときの信号を受信したサーバは、競り値を競り上げていく。競り値が出品者の希望最低落札額以上となったとき、最終応札額で落札が決定され、次の出品物のオークションが開始される。
【０００３】
一方、出品者は、オークション会場内のディスプレイなどに表示されている競り値や応札状況を監視しておき、たとえば、希望落札額に満たない場合などに、オークションを流す（オークションを不成立とする）か、あるいは売り切り（最終応札者の応札額で落札されることに同意する）にするかを、オークション会場内の出品者端末を操作して指定する。出品者端末が操作されたとき、オークションが流された場合には、次の出品物のオークションが開始され、売り切りの場合には、最終応札額を落札額および最終応札者を落札者とした後に、次の出品物のオークションが開始される。
【０００４】
これまでにも、オークションシステムに関する様々な提案がなされている（たとえば、特許文献１，２参照。）。
しかしながら、これまでのオークションシステムは、出品者端末と落札者端末とが別々に存在し、各端末を設置する場所も別々に設けられていたため、広い会場を必要とし、また、多数の端末を用意しなければならなかった。
【特許文献１】特許第２８９８２２２号明細書
【特許文献２】特開２００５−１８４７７号公報
【発明の開示】
【発明が解決しようとする課題】
【０００５】
本発明は、以上のような従来技術の問題点を解消するためになされたもので、簡易な構成により、出品者と参加者とが操作する端末を共通することができるオークションシステムを提供することを目的とする。
【課題を解決するための手段】
【０００６】
本発明にかかるオークションシステムは、オークション会場に設置されている複数の受信機と通信ネットワークを介して接続したシステムであって、オークションの出品物を特定する出品物ＩＤを記憶している出品情報データベースと、オークション会場内に存在する端末が操作されたときに、端末が操作されたことを示す信号を受信した受信機から、この受信機を特定する受信機ＩＤと操作された端末を特定する端末ＩＤとを含む操作情報を受信する受信部と、操作情報を記憶する操作情報データベースと、受信機から受信した操作情報に含まれる受信機ＩＤに基づいて、この受信機ＩＤと共に受信機から受信した端末ＩＤで特定される端末が参加者端末と出品者端末のいずれであるかを判定する判定部と、判定部による判定の結果、参加者端末と判定したとき、この参加者端末の操作者による応札額を算出する応札額算出部と、算出した応札額と、受信した操作情報に含まれる端末ＩＤと、出品情報データベースに記憶されている出品物ＩＤと、を関連付けて記憶する応札情報データベースと、
を有してなる、ことを特徴とする。
【０００７】
また、本発明にかかるオークションシステムは、判定部による判定の結果、出品者端末と判定したとき、応札情報データベースに記憶されている応札額の最高額を特定する手段と、特定された「最高額」と、この最高額と関連付けて応札情報データベースに記憶されている「端末ＩＤ」と「出品物ＩＤ」とを、「落札額」と「落札者の端末を特定する情報」と「落札物を特定する情報」として関連付けて記憶する落札情報データベースを備えたことを特徴とする。
【０００８】
また、本発明にかかるオークションシステムは、判定部による判定の結果、出品者端末と判定したとき、応札を締め切る旨を参加者に通知する手段をさらに備え、通知から一定時間内に操作情報を受信しないときに、「最高額」と「端末ＩＤ」と「出品物ＩＤ」とを落札情報データベースに記憶することを特徴とする。
【０００９】
また、本発明にかかるオークションシステムは、応札を締め切る旨を参加者に通知してから一定時間が経過した後であって、かつ、特定された「最高額」と関連付けて応札情報データベースに記憶されている「端末ＩＤ」を含む操作情報を受信したときに、「最高額」と「端末ＩＤ」と「出品物ＩＤ」とを落札情報データベースに記憶することを特徴とする。
【発明の効果】
【００１０】
本発明によれば、簡易な構成により、出品者と参加者とが操作する端末を共通することができるオークションシステムを提供することができる。
【発明を実施するための最良の形態】
【００１１】
以下、図面を参照しながら、本発明にかかるオークションシステムの実施の形態について説明する。
【００１２】
図１は、本発明にかかるオークションシステムの概要を示す模式図である。
同図は、オークション会場がエリアＡ１，Ａ２，Ａ３の３つに分割されていることを示している。
エリアＡ１には、サーバ１、受信機２１，２２、ディスプレイ１００が設置されている。エリアＡ２には、アンテナ３１，３２が設置されている。エリアＡ３には、アンテナ３３が設置されている。
【００１３】
なお、同図は、３つのエリアが重複することなく存在していることを示しているが、２つまたは３つのエリアが重複する、つまり、ある場所が複数のエリアに属する場合もある。
【００１４】
また、同図は、サーバ１、受信機２０、ディスプレイ１００が、エリアＡ２，Ａ３とは異なるエリアＡ１に設置されていることを示しているが、オークション会場をエリアＡ２，Ａ３の２つに分割し、サーバ１などをエリアＡ２，Ａ３のいずれかに設置するようにしてもよい。
【００１５】
オークションシステムは、サーバ１、受信機２０（受信機２１，２２）、アンテナ３０（アンテナ３１，３２，３３）、携帯端末４０（携帯端末４１，４２，４３，４４，４５，４６）、ディスプレイ１００、を有してなる。
【００１６】
携帯端末（以下、「端末」という。）４０は、無線回線によりアンテナ３０と接続している。
アンテナ３０は、通信回線により、受信機２０と接続している。
受信機２０は、通信回線により、サーバ１と接続している。
ここで、通信回線の例としては、インターネットやＬＡＮ（Local Area Network）などのコンピュータ通信網や、専用線、公衆交換電話網（ＰＳＴＮ）、無線電話網、ＣＡＴＶ網、衛星通信網等などがある。
【００１７】
なお、端末４０〜アンテナ３０、アンテナ３０〜受信機２０、受信機２０〜サーバ１の各間の通信は、公知の通信プロトコルを用いて実現されている。
また、サーバ１は、後述する情報処理を実現可能な情報処理端末であり、たとえば、この情報処理を行うコンピュータプログラムが動作しているパーソナルコンピュータなどにより実現することができる。
【００１８】
端末４０は、エリアＡ２，Ａ３内を自由に移動可能であり、図１には、端末４１，４２，４３，４４がエリアＡ２内に存在していて、端末４５，４６がエリアＡ３内に存在していることを示している。
【００１９】
なお、以下に説明する実施の形態は、エリアＡ２に存在する端末４０が操作されたとき、参加者端末が操作されたとして判定され、一方、エリアＡ３に存在する端末４０が操作されたとき、出品者端末が操作されたとして判定される場合を例に説明する。
すなわち、端末４０の操作者は、オークションにかかる商品が他人の出品物のとき、エリアＡ２に移動すれば、参加者として応札することができ、オークションにかかる商品が自分の出品物のとき、エリアＡ３に移動すれば、出品者として売り切りを指示することができる。
【００２０】
図７は、端末４０の例を示す模式図である。端末４０には、ボタン４００が設けられていて、端末の利用者がこのボタンを操作（押す）ことで、端末４０から操作信号が送信されるように構成されている。
この操作信号には、操作された端末４０に記憶されている端末ＩＤが含まれる。端末ＩＤとは、サーバ１が端末４０のそれぞれを特定するために用いる情報である。すなわち、端末４１〜４６のそれぞれには、ユニークな端末ＩＤが記憶されている。
【００２１】
なお、前述のとおり、端末４０がエリアＡ２に存在するときのボタン４００の操作は応札を意味し、エリアＡ３に存在するときのボタン４００の操作は売り切り指示を意味する。売り切り指示とは、オークションにかかる商品の出品者が予め指定しておいた最低落札額に満たないときでも、出品者がオークションの成立を認めることを指示するものである。
【００２２】
オークション会場内には、前述のとおり、アンテナ３１，３２，３３が設置されていて、端末４０が操作されたとき、この端末が送信した操作信号は、この端末に一番近い場所に設置されているアンテナが受信する。
【００２３】
端末４０からの操作信号を受信したアンテナ３０は、受信機２０に操作信号を転送する。各アンテナ３０には、転送先の受信機２０を特定する情報が記憶されていて、この情報に基づいて受信機２０に転送する。
【００２４】
アンテナ３０から操作信号を受信した受信機２０は、操作情報を生成してサーバ１に送信する。操作情報とは、アンテナ３０から受信した操作信号に含まれる端末ＩＤと受信機ＩＤとを含む情報である。受信機ＩＤとは、サーバ１が受信機２０のそれぞれを特定するために用いる情報である。すなわち、受信機２１〜２３のそれぞれには、ユニークな受信機ＩＤが記憶されている。
受信機２０から操作情報を受信したサーバ１は、後述する情報処理を行う。
【００２５】
図２は、サーバ１の例を示すブロック図である。
サーバ１は、操作情報受信部２、エリア判定部３、参加者処理部４、出品者処理部５、表示処理部６、記憶部７、の各手段を有してなる。
【００２６】
記憶部７には、出品情報、操作情報、応札情報、落札情報が記憶されている。出品情報とは、オークションの対象となる出品物を特定する情報である。操作情報とは、サーバ１が受信機２０から受信する情報である。応札情報とは、応札状況を示す情報である。落札情報とは、オークションの結果（落札結果）を示す情報である。
記憶部７には、各情報を記憶している（記憶するための）データベース（ＤＢ）１〜４が構築されている。
【００２７】
図３は、出品情報ＤＢ１に記憶されている出品情報の例を示す模式図である。ＤＢ１には、出品情報を構成する、出品番号、商品名、型番、出品者情報、開始値、最低希望額、商品画像、などが関連付けて記憶されている。出品番号は、オークションの主催者（オークションシステムの提供者・運営者など）が付与する情報であり、その他の情報は、出品者が付与する情報である。ここで、開始値とは、その出品物のオークションの開始時の金額のことであり、最低希望額とは、出品者が落札を認める最低金額である。
なお、ＤＢ１には、オークションの開始に先立って、予め出品情報が記憶されている。
【００２８】
図４は、操作情報ＤＢ２に記憶されている操作情報の例を示す模式図である。ＤＢ２には、サーバ１が受信機２０から操作情報を受信する都度、受信機２０から受信した操作情報に含まれる端末ＩＤと受信機ＩＤに関連付けて、受信日時などが記憶される。
ここで、受信日時は、サーバ１が操作情報を受信した日時であり、受信機２０から操作情報を受信する都度、たとえばサーバ１内の計時手段を参照して特定するようにしてもよいし、あるいは、操作情報に日時が含まれていて、この日時を用いるようにしてもよい。
【００２９】
同図には、出品番号「１２３」にかかる出品物に対して、２００７年１０月１９日の１０時００分１６秒に最初の応札があり、その後、全部で１１回の操作情報が受信されている様子を示している。この１１回の操作情報のうち、受信Ｎｏ．１〜１０の受信機番号は「２１」であることから、応札があったことを示している。一方、受信Ｎｏ．１１の受信機番号は「２２」であることから、売り切り指示があったことを示している。売り切り指示については、後述する。
【００３０】
図５は、応札情報ＤＢ３に記憶されている応札情報の例を示す模式図である。ＤＢ３には、応札情報を構成する出品番号、端末ＩＤ、応札額などが関連付けて記憶されている。
なお、応札Ｎｏ．１〜１０は、図４に示した受信Ｎｏ．１〜１０に対応する。すなわち、サーバ１は、操作情報を受信する都度、図４に示した操作情報ＤＢ２に操作情報を記憶すると共に、その操作情報が参加者端末からのものであれば、図５に示す応札情報ＤＢ３に応札情報を記憶する。
ここで、応札情報に含まれる応札額は、後述するように、出品情報に含まれる「開始値」や「増加額」などを用いてサーバ１が算出する。
【００３１】
図６は、落札情報ＤＢ４に記憶されている落札情報の例を示す模式図である。ＤＢ４には、落札情報を構成する出品番号、落札端末、落札額などが関連付けて記憶されている。
【００３２】
操作情報受信部２は、受信機２０から操作情報を受信して操作情報ＤＢ２に記憶する手段である。
【００３３】
エリア判定部３は、受信機２０から受信した操作情報に含まれる受信機ＩＤを参照して、受信した操作情報にかかる操作信号を発信した端末４０が存在するエリアがエリアＡ２，Ａ３のいずれであるかを判定する手段である。すなわち、エリア判定部３は、受信した操作情報に含まれる端末ＩＤで特定される端末が、参加者端末と出品者端末のいずれであるかを判定する。
【００３４】
ここで、サーバ１内の記憶部７には、受信機ＩＤとエリアＩＤ（エリアＡ２，Ａ３を特定する情報）および、エリアＩＤと処理内容を関連付けているデータベース（不図示）が構築されていて、サーバ１は、このデータベースを参照することで、受信機２０から受信した操作情報に含まれる受信機ＩＤに基づいて、端末４０の存在するエリアを特定し、さらに、処理内容を特定することができる。
【００３５】
なお、サーバ１は、受信機ＩＤごとに処理内容を特定できればよく、前述の、受信機ＩＤとエリアＩＤを関連付けたデータベースや、エリアＩＤと処理内容を関連付けたデータベースに代えて、記憶部７には、たとえば、受信機ＩＤと処理内容を関連付けたデータベースを構築しておいてもよい。
【００３６】
参加者処理部４は、エリア判定部３による判定の結果、受信機ＩＤと共に操作情報に含まれる端末ＩＤで特定される端末がエリアＡ２に存在している、つまり、参加者端末と判定したとき、応札処理を実行する手段である。
応札処理には、以下の（１）〜（６）の各処理が含まれる。
【００３７】
（１）操作情報の受信日時を特定すると共に応札額を算出して、受信機２０から受信した操作情報と関連付けてＤＢ２に記憶する。
応札額の算出は、たとえば、所定の増加額が記憶部７に記憶されていて、応札直前の応札額に増加額を加算して算出する。すなわち、増加額が「５００円」で、最終の応札額が「３５００円」のときに応札があったとすると、新たな応札額として「４０００円（＝３５００＋５００）」が算出される。
【００３８】
（２）算出した応札額とＤＢ１に記憶されている最低落札値とを比較し、算出した応札額が最低落札額以上か否かを判定する。
【００３９】
（３）応札額が最低落札額以上であれば、応札締め切りをディスプレイ１００に表示させ、所定の時間（たとえば、記憶部７に記憶されている時間：１０秒など）の経過を監視する。
【００４０】
なお、所定の時間が経過する前に、操作情報を受信したとき（応札があったとき）は、操作情報と応札情報をＤＢ２，ＤＢ３にそれぞれ記憶した上で、改めて、所定の時間の経過を監視する。つまり、たとえば、１０秒の経過を監視していて、８秒経過時点で操作情報を受信したときは、経過時間を０秒として、再度、１０秒の経過を監視する。
【００４１】
ここで、応札締め切りのディスプレイ１００への表示時期は、応札額が最低落札額以上と判定された後であって、一定時間経過後としてもよい。
【００４２】
（４）所定の時間の経過後、最終応札者を特定し、この参加者に対して確認操作を指示する。最終応札者への確認操作の指示は、ＤＢ３に記憶されている応札額を参照し、最高額の応札額と関連付けて記憶されている端末ＩＤを用いて行う。具体的には、たとえば、後述する図１１（ｂ）に示す画面を、ディスプレイ１００に表示させる。
【００４３】
（５）確認操作がなされて確認情報を受信したとき、最終応札者を落札者として確定して落札情報をＤＢ４に記憶する。ＤＢ４には、ＤＢ３に記憶されている応札額の「最高額」と、この応札額と関連付けて記憶されている「端末ＩＤ」と「出品番号」とを、「落札額」「落札者の端末を特定する情報：落札端末」「落札物を特定する情報：出品番号」として関連付けて記憶される。
【００４４】
（６）（２）の比較の結果、応札額が最低落札額未満であれば、算出した応札額を最終応札額（最新応札額）としてディスプレイ１００に表示させる。
【００４５】
出品者処理部５は、エリア判定部３による判定の結果、受信機ＩＤと共に操作情報に含まれる端末ＩＤで特定される端末がエリアＡ３に存在している、つまり、出品者端末と判定したとき、売り切り処理を実行する手段である。
売り切り処理には、以下の（１）〜（３）の各処理が含まれる。
なお、後述の売り切り処理の（２）（３）は、前述の応札処理の（４）（５）と同様である。
【００４６】
（１）応札締め切りをディスプレイ１００に表示させ、所定の時間の経過を監視する。なお、所定の時間の経過内に操作情報を受信したときは、前述の応札処理と同様に、操作情報と応札情報をＤＢ２，ＤＢ３に記憶する。
【００４７】
（２）所定の時間の経過後、最終応札者を特定し、この参加者に対して確認操作を指示する。
【００４８】
（３）確認操作がなされて確認情報を受信したとき、最終応札者を落札者として確定して落札情報をＤＢ４に記憶する。
【００４９】
表示処理部６は、ディスプレイ１００に各種情報を表示させる手段である。
図１０，１１は、ディスプレイ１００に表示される画面例を示す模式図である。
【００５０】
図１０は、（ａ）オークションの開始時点で表示される商品情報、（ｂ）は応札があったときに表示される商品情報、（ｃ）はさらに応札があったときに表示される商品情報、の例である。
図１０（ａ）に表示されている商品情報は、ＤＢ１に記憶されている出品情報である。
図１０（ｂ）（ｃ）に表示されている商品情報のうち、「現在の価格」以外の情報は、同図（ａ）に表示されている情報と同じである。つまり、ディスプレイ１００には、応札がある都度、現在の価格（競り値）が更新表示される。
【００５１】
図１１は、最終応札額が最低落札額以上となったとき、または、売り切り指示があったときに表示される画面例である。
【００５２】
（ａ）は、所定の時間（たとえば、１０秒）の経過後に応札を締め切る旨を示す画面例である。
【００５３】
（ｂ）は、所定の時間が経過した時点で、最終応札者に対して確認を依頼する画面例である。この画面には、最終応札者の端末ＩＤが表示されている。この端末ＩＤは、ＤＢ２に記憶されている最終の応札があったときの操作情報に含まれる端末ＩＤ、つまり、最高額の応札をした参加者の端末を特定する端末ＩＤである。最終応札者に対して確認を依頼するのは、最終応札者に落札を通知するためである。つまり、サーバ１は、端末４０からの情報は受信できるものの、端末４０に情報を送信する構成を備えていないからである。
【００５４】
（ｃ）は、（ｂ）の画面で確認を依頼された端末ＩＤ「４２」の操作者が端末４０のボタンを操作したときに表示される画面例である。同画面を表示することで、端末ＩＤ「４２」の操作者は、自分が同画面に表示されている出品物を落札したことを確認することができる。
【００５５】
次に、オークションシステムの動作について説明する。
図８は、オークションシステムの動作例を示すシーケンス図である。
【００５６】
先ず、サーバ１は、図１０（ａ）に示すような商品情報をディスプレイ１００に表示する（Ｔ１，Ｔ２）。
【００５７】
次に、端末４０が操作されたときに（Ｔ３）、操作信号が端末４０からアンテナ３０に送信される（Ｔ４）。
アンテナ３０は、操作信号を受信機２０に転送する（Ｔ５）。
受信機２０は、操作情報をサーバ１に送信する（Ｔ６，Ｔ７）。
操作情報を受信したサーバ１は、エリア判定をする（Ｔ８）。
【００５８】
エリア判定の結果、エリアＡ２（参加者端末）と判定したときには、応札処理を行い、算出した最終応札額（競り値）をディスプレイ１００に送信し、図１０（ｂ）（ｃ）に示すような商品情報を表示させる（Ｔ９，Ｔ１０）。
一方、エリア判定の結果、エリアＡ３（出品者端末）と判定したときには、売り切り処理を行い、図１１（ａ），（ｂ），（ｃ）に示すような商品情報をディスプレイ１００に表示させる。
【００５９】
次に、サーバ１の動作について説明する。
図９は、サーバ１の動作例を示すフローチャートである。
【００６０】
サーバ１は、操作情報受信部２を用いて、操作情報を受信機２０から受信する（Ｓ１）と、エリア判定部３を用いて、エリア判定処理を行う（Ｓ２）。
【００６１】
サーバ１は、エリア判定の結果、操作端末が参加者端末であると判定したとき（Ｓ３の「Ｙ」）、参加者処理部４を用いて、応札額を算出し（Ｓ４）、算出した応札額と最低落札額とを比較する（Ｓ５）。比較の結果、応札額が最低落札額未満であると判定したとき（Ｓ５の「Ｎ」）、算出した応札額を現時点での最終応札額としてディスプレイ１００に表示させる（Ｓ６）。一方、応札額が最低落札額以上であると判定したとき（Ｓ５の「Ｙ」）、ディスプレイ１００に、間もなく応札を締め切る旨を表示させ（Ｓ７）、１０秒が経過するのを監視する。
【００６２】
この１０秒間に操作情報を受信したときには、サーバ１は、参加者処理部４を用いて、応札額を算出（Ｓ９）した上で、最終応札額をディスプレイ１００に表示させて（Ｓ１０）、再度、１０秒の経過を監視する。一方、操作情報を受信することなく１０秒が経過したときは（Ｓ１１の「Ｙ」）、最終落札者に対して確認を依頼する旨をディスプレイ１００に表示させる（Ｓ１２）。ディスプレイ１００に表示させる最終応札者の端末ＩＤは、ＤＢ２に最終の操作情報として記憶されているレコード中に含まれる端末ＩＤである。
【００６３】
その後、サーバ１は、図示しない手段を用いて、最終落札者の端末４０が操作されるのを待ち、受信機２０から確認情報を受信すると、落札額を確定して（Ｓ１３）、次の出品物のオークションに移行する。
この確認情報とは、操作情報の一種であり、１０秒の経過後に、受信機２０から受信した操作情報に含まれる端末ＩＤが、ディスプレイ１００に表示させた最終応札者の端末ＩＤと一致する情報である。
【００６４】
以上説明した実施の形態によれば、操作情報を受信したサーバ１は、操作情報を送信した受信機に応じて、操作情報にかかる操作信号を発信した端末が出品者端末であるか参加者端末であるかを特定し、特定した端末種別（出品者端末と参加者端末の別）に応じた情報処理を実現する。つまり、本発明にかかるオークションシステムは、端末が操作されたオークション会場内の場所に応じて端末種別を判定することができる。すなわち、前述の簡易な構成により、出品者と参加者とが操作する端末を共通にしたとしても、応札処理と売り切り処理を実現することができる。
【００６５】
なお、以上説明した実施の形態では、端末４０に設けられたボタンは１つのみであったが、複数のボタンを設けて、ボタンごとに参加者処理部４と出品者処理部５の情報処理の内容を異なるように構成してもよい。
すなわち、たとえば、端末には２つのボタンＢ１とＢ２が設けられていて、オークション会場では、同時に２つの出品物のオークションを開催する場合に、エリアＡ２に端末が存在する場合には、ボタンＢ１，Ｂ２を操作することで、同時に開催されている各出品物について応札できるようにオークションシステムを構成してもよい。
また、たとえば、端末には２つのボタンＢ１とＢ２が設けられていて、エリアＡ３に端末が存在する場合に、ボタンＢ１が操作されたときは売り切り処理、ボタンＢ２が操作されたときは流れ処理（最終応札額が最低落札額に満たずオークション不成立）を実現するようにオークションシステムを構成してもよい。
【図面の簡単な説明】
【００６６】
【図１】本発明にかかるオークションシステムの実施の形態を示す概念図である。
【図２】上記オークションシステムを構成するサーバの例を示すブロック図である。
【図３】上記サーバ内に記憶される出品情報の例を示す模式図である。
【図４】上記サーバ内に記憶される操作情報の例を示す模式図である。
【図５】上記サーバ内に記憶される応札情報の例を示す模式図である。
【図６】上記サーバ内に記憶される落札情報の例を示す模式図である。
【図７】上記オークションシステムを構成する端末の例を示す模式図である。
【図８】上記オークションシステムの実施の形態を示すシーケンス図である。
【図９】上記サーバの動作例を示すフローチャートである。
【図１０】上記サーバにより表示されるオークション画面例を示す模式図である。
【図１１】上記サーバにより表示されるオークション画面例を示す模式図である。
【符号の説明】
【００６７】
１  サーバ
２０  受信機
３０  アンテナ
４０  端末
【図１】
2009122958.tif 000003
【図２】
2009122958.tif 000004
【図３】
2009122958.tif 000005
【図４】
2009122958.tif 000006
【図５】
2009122958.tif 000007
【図６】
2009122958.tif 000008
【図７】
2009122958.tif 000009
【図８】
2009122958.tif 000010
【図９】
2009122958.tif 000011
【図１０】
2009122958.tif 000012
【図１１】
2009122958.tif 000013